(57)【要約】【課題】携帯通信端末がサーバと接続していないときであっても、電子くじの当落の結果を表示する。【解決手段】抽選制御システムであって、サーバは、携帯通信端末から、表示情報に含める広告情報に対応付けて、広告情報に関する抽選における当選および落選のいずれか一方を示す当落情報を表示情報とともに送信し、携帯通信端末は、表示情報の送信要求をサーバへ送信する送信要求部と、サーバから送信された表示情報および当落情報を受信して格納する受信情報格納部と、表示情報を表示する広告表示部と、表示情報に含まれる広告情報に関する抽選を利用者から受け付ける抽選受付部と、抽選受付部により受け付けられた抽選の広告情報に対応付けて受信情報格納部に格納されている当落情報により示された、広告情報における抽選の当選または落選のいずれか一方を表示する当落表示部とを有する。【選択図】図７
2007287057.tif 000002
【特許請求の範囲】
【請求項１】
互いに通信する携帯通信端末およびサーバを備える抽選制御システムであって、
前記サーバは、前記携帯通信端末から、表示情報の送信要求を受信した場合に、前記表示情報に含める広告情報に対応付けて、前記広告情報に関する抽選における当選および落選のいずれか一方を示す当落情報を、前記表示情報とともに送信し、
前記携帯通信端末は、
前記表示情報の前記送信要求を前記サーバへ送信する送信要求部と、
前記送信要求に基づいて前記サーバから送信された前記表示情報および前記当落情報を受信して、格納する受信情報格納部と、
前記受信情報格納部に格納されている前記表示情報を表示する広告表示部と、
前記広告表示部により表示されている前記表示情報に含まれる前記広告情報に関する抽選を利用者から受け付ける抽選受付部と、
前記抽選受付部により前記抽選が受け付けられた場合に、前記抽選受付部により受け付けられた前記抽選の前記広告情報に対応付けて前記受信情報格納部に格納されている前記当落情報により示された、前記広告情報における前記抽選の当選または落選のいずれか一方を表示する当落表示部と
を有する抽選制御システム。
【請求項２】
前記サーバは、前記表示情報とともに、前記当落情報の有効期限を示す有効期限情報を送信する請求項１に記載の抽選制御システム。
【請求項３】
前記広告表示部は、前記有効期限を経過した場合に、前記表示情報から前記表示情報に含まれる前記広告情報を除いて表示する請求項２に記載の抽選制御システム。
【請求項４】
前記抽選受付部は、前記有効期限を経過した場合に、前記利用者からの前記広告情報に関する前記抽選の受け付けを禁止する請求項２に記載の抽選制御システム。
【請求項５】
前記当落表示部は、前記有効期限を経過した後に前記抽選受付部により前記抽選が受け付けられた場合に、前記受信情報格納部に格納されている前記当落情報にかかわらず前記広告情報における前記抽選の落選を表示する請求項２に記載の抽選制御システム。
【請求項６】
前記当落表示部は、前記広告情報における前記抽選の当選を表示する場合に、さらに前記有効期限までに前記サーバに前記抽選に当選した旨の登録をすべき旨を表示する請求項２に記載の抽選制御システム。
【請求項７】
前記携帯通信端末は、
前記抽選に当選した旨の登録を要求する前記当落情報を含む登録要求を前記サーバに送信する登録要求部
をさらに有し、
前記登録要求部は、前記有効期限を経過した後の前記登録要求の送信を禁止する請求項２に記載の抽選制御システム。
【請求項８】
前記受信情報格納部は、さらに、前記登録要求部による前記有効期限を経過する前の前記登録要求の送信が成功しなかった旨を示す情報を格納し、
前記登録要求部は、前記受信情報格納部に一の登録要求の送信が成功しなかった旨を示す情報が格納されている場合には、前記有効期限にかかわらず前記一の登録要求を送信する請求項７に記載の抽選制御システム。
【請求項９】
前記携帯通信端末は、
前記抽選に当選した旨の登録を要求する前記当落情報を含む登録要求を前記サーバに送信する登録要求部
をさらに有し、
前記サーバは、
前記有効期限を経過する前に前記登録要求部から前記登録要求を受信した場合に、前記抽選に当選した旨を登録する請求項２に記載の抽選制御システム。
【請求項１０】
前記受信情報格納部は、さらに、前記登録要求部による前記有効期限を経過する前の前記登録要求の送信が成功しなかった旨を示す情報を格納し、
前記登録要求部は、一の登録要求を送信する場合に、前記受信情報格納部に前記一の登録要求の送信が成功しなかった旨を示す情報があるときは、前記一の登録要求とともに前記送信が成功しなかった旨を示す情報を送信し、
前記サーバは、
前記登録要求部から前記一の登録要求とともに前記送信が成功しなかった旨を示す情報を受信した場合に、前記有効期限にかかわらず、前記抽選に当選した旨を登録する請求項９に記載の抽選制御システム。
【請求項１１】
前記サーバは、
一の携帯通信端末から前記表示情報の一の送信要求を受信して前記表示情報に含める一の広告情報に対応付けて当選を示す前記当落情報を前記一の携帯通信端末に送信した後に、前記一の携帯通信端末から前記表示情報の他の送信要求を受信して前記一の広告情報を含む前記表示情報を前記一の携帯通信端末に送信する場合には、前記一の広告情報に対応付けて落選を示す前記当落情報を送信する請求項１に記載の抽選制御システム。
【請求項１２】
前記サーバは、
前記当落情報を識別する当落情報識別情報を含む前記当落情報を送信し、
前記携帯通信端末は、
前記抽選に当選した旨の登録を要求する前記当落情報を含む登録要求を前記サーバに送信する登録要求部
をさらに有し、
前記サーバは、前記携帯通信端末から一の登録要求を受信して前記一の登録要求に含まれる一の当落情報識別情報に基づいて前記抽選に当選した旨の登録をした後に、前記携帯通信端末から前記一の当落情報識別情報を含む他の登録要求を受信した場合には、前記他の登録要求に含まれる前記一の当落情報識別情報に基づいて前記抽選に当選した旨の登録を禁止する請求項１に記載の抽選制御システム。
【請求項１３】
前記広告表示部は、前記抽選受付部より受け付けられた前記表示情報に含まれる一の広告情報に関する抽選の前記一の広告情報に対応付けて前記受信情報格納部に格納されている前記当落情報により示された前記抽選の当選または落選が前記当落表示部により表示された場合には、前記表示情報から前記表示情報に含まれる前記一の広告情報を除いて表示する請求項１に記載の抽選制御システム。
【請求項１４】
前記広告表示部は、前記抽選受付部より受け付けられた一の広告情報に関する抽選の前記一の広告情報に対応付けて前記受信情報格納部に格納されている前記当落情報により示された前記抽選の当選または落選が前記当落表示部により表示された場合には、前記一の広告情報に関する抽選が前記利用者から受け付け済みである旨を表示する請求項１に記載の抽選制御システム。
【請求項１５】
前記抽選受付部は、前記利用者から受け付けた一の広告情報に関する抽選の前記一の広告情報に対応付けて前記受信情報格納部に格納されている前記当落情報により示された前記抽選の当選または落選が前記当落表示部により表示された場合には、その後の前記利用者からの前記一の広告情報に関する前記抽選の受け付けを禁止する請求項１に記載の抽選制御システム。
【請求項１６】
前記当落表示部は、前記抽選受付部により受け付けられた一の広告情報に関する抽選の前記一の広告情報に対応付けて前記受信情報格納部に格納されている前記当落情報により示された前記抽選の当選または落選を表示した後に、前記抽選受付部により前記一の広告情報に関する抽選が受け付けられた場合には、前記当落情報にかえて、前記一の広告情報に関する情報を表示する請求項１に記載の抽選制御システム。
【請求項１７】
前記当落表示部は、前記抽選受付部により受け付けられた一の広告情報に関する抽選の前記一の広告情報に対応付けて前記受信情報格納部に格納されている前記当落情報により示された前記抽選の当選または落選を表示した後に、前記抽選受付部により前記一の広告情報に関する抽選が受け付けられた場合には、前記受信情報格納部に格納されている前記当落情報にかかわらず前記一の広告情報における前記抽選の落選を表示する請求項１に記載の抽選制御システム。
【請求項１８】
前記当落表示部は、前記広告情報における前記抽選の当選を表示する場合に、さらに前記登録要求を前記利用者から受け付けるボタンを表示する請求項７、８、９、１０または１２に記載の抽選制御システム。
【請求項１９】
前記登録要求部は、一の送信要求に基づいて前記サーバから送信された一の当落情報により示された前記抽選の当選が前記当落表示部により表示された後に前記送信要求部が他の送信要求を前記サーバへ送信する場合に、前記一の抽選に当選した旨の登録要求を送信する請求項７、８、９、１０または１２に記載の抽選制御システム。
【請求項２０】
前記携帯通信端末は、
前記携帯通信端末に、前記送信要求部、前記受信情報格納部、前記広告表示部、前記抽選受付部および前記当落表示部を実現させるためのプログラムを格納するプログラム格納部
をさらに有する請求項１に記載の抽選制御システム。
【請求項２１】
前記携帯通信端末の前記送信要求部は、前記携帯通信端末を識別する端末識別情報を含む前記送信要求を前記サーバに送信し、
前記サーバは、
前記広告情報を識別する広告識別情報に対応付けて前記広告情報を格納する広告情報格納部と、
前記携帯通信端末から前記送信要求を受信し、所定の条件に基づいて前記広告情報格納部から前記広告識別情報に対応付けて前記広告情報を取得する広告情報取得部と、
前記広告情報取得部が前記広告情報を取得した場合に、所定の条件に基づいて前記当選および前記落選のいずれか一方を示す前記当落情報を生成する当落生成部と、
前記当落生成部により生成された前記当落情報を、前記広告情報取得部により受信された前記送信要求に含まれる前記端末識別情報および前記広告情報取得部により取得された前記広告識別情報に対応付けて格納する当落情報格納部と、
前記広告情報取得部により取得された前記広告情報および前記広告識別情報を含む前記表示情報を生成し、前記当落生成部により生成された前記当落情報を前記広告識別情報に対応付けて前記表示情報とともに前記携帯通信端末に送信する表示情報送信部と
を有する請求項１に記載の抽選制御システム。
【請求項２２】
携帯通信端末から表示情報の送信要求を受信した場合に、前記表示情報に含める広告情報に対応付けて、前記広告情報に関する抽選における当選および落選のいずれか一方を示す当落情報を、前記表示情報とともに送信するサーバ。
【請求項２３】
表示情報の送信要求をサーバへ送信する送信要求部と、
前記送信要求に基づいて前記サーバから送信された前記表示情報、および、前記表示情報に含める広告情報に関する抽選における当選および落選のいずれか一方を示す当落情報を受信して、格納する受信情報格納部と、
前記受信情報格納部に格納されている前記表示情報を表示する広告表示部と、
前記広告表示部により表示されている前記表示情報に含まれる前記広告情報に関する抽選を利用者から受け付ける抽選受付部と、
前記抽選受付部により前記抽選が受け付けられた場合に、前記抽選受付部により受け付けられた前記抽選の前記広告情報に対応付けて前記受信情報格納部に格納されている前記当落情報により示された、前記広告情報における前記抽選の当選または落選のいずれか一方を表示する当落表示部と
を備える携帯通信端末。
【請求項２４】
サーバを制御するプログラムであって、前記サーバに、
携帯通信端末から表示情報の送信要求を受信する受信手順、
前記受信手順が前記送信要求を受信した場合に、前記表示情報に含める広告情報に対応付けて、前記広告情報に関する抽選における当選および落選のいずれか一方を示す当落情報を生成する生成手順、および、
前記生成手順により生成された前記当落情報を前記表示情報とともに送信する送信手順
を実行させるプログラム。
【請求項２５】
携帯通信端末を制御するプログラムであって、前記携帯通信端末に、
表示情報の送信要求をサーバへ送信する送信要求手順、
前記送信要求に基づいて前記サーバから送信された前記表示情報、および、前記表示情報に含める広告情報に関する抽選における当選および落選のいずれか一方を示す当落情報を受信して、格納する受信情報格納手順、
前記受信情報格納手順により格納されている前記表示情報を表示する広告表示手順、
前記広告表示手順により表示されている前記表示情報に含まれる前記広告情報に関する抽選を利用者から受け付ける抽選受付手順、および、
前記抽選受付手順により前記抽選が受け付けられた場合に、前記抽選受付手順により受け付けられた前記抽選の前記広告情報に対応付けて前記受信情報格納手順に格納されている前記当落情報により示された、前記広告情報における前記抽選の当選または落選のいずれか一方を表示する当落表示手順
を実行させるプログラム。
【発明の詳細な説明】
【技術分野】
【０００１】
本発明は、抽選制御システム、サーバ、携帯通信端末およびプログラムに関する。特に、本発明は、当選および落選のいずれか一方を示す当落情報を送信または受信する抽選制御システム、サーバ、携帯通信端末およびプログラムに関する。
【背景技術】
【０００２】
サーバ側が当落の確定した複数の電子くじを携帯端末側に送信し、携帯端末側で複数の電子くじのいずれかを選択させ、選択された電子くじの結果をサーバ側に問い合せて、その結果を携帯端末側に送信する電子くじ広告システムが知られている。
【特許文献１】特開２００２−２３０４０３号公報
【発明の開示】
【発明が解決しようとする課題】
【０００３】
しかしながら、特許文献１に記載の電子くじ広告システムは、電子くじの当落を知るまでに、サーバ側と携帯端末側との接続を維持している。よって、電子くじを携帯端末に送信してからサーバ側と携帯端末側との接続が切断された場合に、接続が再開されるまで、電子くじの当落を携帯端末側で知ることができないという不具合がある。
【課題を解決するための手段】
【０００４】
上記課題を解決するために、本発明の第１の形態においては、互いに通信する携帯通信端末およびサーバを備える抽選制御システムであって、サーバは、携帯通信端末から、表示情報の送信要求を受信した場合に、表示情報に含める広告情報に対応付けて、広告情報に関する抽選における当選および落選のいずれか一方を示す当落情報を、表示情報とともに送信し、携帯通信端末は、表示情報の送信要求をサーバへ送信する送信要求部と、送信要求に基づいてサーバから送信された表示情報および当落情報を受信して、格納する受信情報格納部と、受信情報格納部に格納されている表示情報を表示する広告表示部と、広告表示部により表示されている表示情報に含まれる広告情報に関する抽選を利用者から受け付ける抽選受付部と、抽選受付部により抽選が受け付けられた場合に、抽選受付部により受け付けられた抽選の広告情報に対応付けて受信情報格納部に格納されている当落情報により示された、広告情報における抽選の当選または落選のいずれか一方を表示する当落表示部とを有する。これにより、携帯通信端末がサーバと接続していないときであっても、電子くじの当落の結果を表示することができる。
【０００５】
サーバは、表示情報とともに、当落情報の有効期限を示す有効期限情報を送信してもよい。
【０００６】
広告表示部は、有効期限を経過した場合に、表示情報から表示情報に含まれる広告情報を除いて表示してもよい。これにより、所定の期間内に抽選がされることを担保することができる。
【０００７】
抽選受付部は、有効期限を経過した場合に、利用者からの広告情報に関する抽選の受け付けを禁止してもよい。これにより、所定の期間内に抽選がされることを担保することができる。
【０００８】
当落表示部は、有効期限を経過した後に抽選受付部により抽選が受け付けられた場合に、受信情報格納部に格納されている当落情報にかかわらず広告情報における抽選の落選を表示してもよい。これにより、携帯通信端末が表示情報を受信してから相当期間が経過した後に、抽選をした場合には当選しないように制御することができる。
【０００９】
当落表示部は、広告情報における抽選の当選を表示する場合に、さらに有効期限までにサーバに抽選に当選した旨の登録をすべき旨を表示してもよい。これにより、ユーザに早期の登録要求の有効期限を周知させることができる。
【００１０】
携帯通信端末は、抽選に当選した旨の登録を要求する当落情報を含む登録要求をサーバに送信する登録要求部をさらに有し、登録要求部は、有効期限を経過した後の登録要求の送信を禁止してもよい。これにより、所定の期間内に登録がされることを担保することができる。
【００１１】
携帯通信端末において、受信情報格納部は、さらに、登録要求部による有効期限を経過する前の登録要求の送信が成功しなかった旨を示す情報を格納し、登録要求部は、受信情報格納部に一の登録要求の送信が成功しなかった旨を示す情報が格納されている場合には、有効期限にかかわらず一の登録要求を送信してもよい。これにより、有効期限に登録要求を試みた場合には、その登録を補償することができる。
【００１２】
サーバは、有効期限を経過する前に登録要求部から登録要求を受信した場合に、抽選に当選した旨を登録してもよい。これにより、携帯通信端末が当選を表示してから相当期間が経過した後に、当選した旨の登録要求をした場合には登録しないように制御することができる。
【００１３】
携帯通信端末において、受信情報格納部は、さらに、登録要求部による有効期限を経過する前の登録要求の送信が成功しなかった旨を示す情報を格納し、登録要求部は、一の登録要求を送信する場合に、受信情報格納部に一の登録要求の送信が成功しなかった旨を示す情報があるときは、一の登録要求とともに送信が成功しなかった旨を示す情報を送信し、サーバは、登録要求部から一の登録要求とともに送信が成功しなかった旨を示す情報を受信した場合に、有効期限にかかわらず、抽選に当選した旨を登録してもよい。これにより、有効期限に登録要求を試みた場合には、その登録を補償することができる。
【００１４】
サーバは、一の携帯通信端末から表示情報の一の送信要求を受信して表示情報に含める一の広告情報に対応付けて当選を示す当落情報を一の携帯通信端末に送信した後に、一の携帯通信端末から表示情報の他の送信要求を受信して一の広告情報を含む表示情報を一の携帯通信端末に送信する場合には、一の広告情報に対応付けて落選を示す当落情報を送信してもよい。これにより、同一の携帯通信端末使用者に対して同一の広告情報で二回以上すること当選を防ぎ、より多くの利用者に対して抽選を促すことができる。
【００１５】
サーバは、当落情報を識別する当落情報識別情報を含む当落情報を送信し、携帯通信端末は、抽選に当選した旨の登録を要求する当落情報を含む登録要求をサーバに送信する登録要求部をさらに有し、サーバは、携帯通信端末から一の登録要求を受信して一の登録要求に含まれる一の当落情報識別情報に基づいて抽選に当選した旨の登録をした後に、携帯通信端末から一の当落情報識別情報を含む他の登録要求を受信した場合には、他の登録要求に含まれる一の当落情報識別情報に基づいて抽選に当選した旨の登録を禁止してもよい。これにより、同一の携帯通信端末利用者に対して同一の広告情報の当選による二回以上の登録を防ぐことができる。また、不正に当落情報が複製された場合に当選の登録を禁止することができる。
【００１６】
広告表示部は、抽選受付部より受け付けられた表示情報に含まれる一の広告情報に関する抽選の一の広告情報に対応付けて受信情報格納部に格納されている当落情報により示された抽選の当選または落選が当落表示部により表示された場合には、表示情報から表示情報に含まれる一の広告情報を除いて表示してもよい。これにより、同一の携帯通信端末利用者に対して同一の広告情報で当選するまで過度に抽選を繰り返すことを防ぐことができる。
【００１７】
広告表示部は、抽選受付部より受け付けられた一の広告情報に関する抽選の一の広告情報に対応付けて受信情報格納部に格納されている当落情報により示された抽選の当選または落選が当落表示部により表示された場合には、一の広告情報に関する抽選が利用者から受け付け済みである旨を表示してもよい。これにより、当該広告情報による抽選が行われた旨を周知させることができる。
【００１８】
抽選受付部は、利用者から受け付けた一の広告情報に関する抽選の一の広告情報に対応付けて受信情報格納部に格納されている当落情報により示された抽選の当選または落選が当落表示部により表示された場合には、その後の利用者からの一の広告情報に関する抽選の受け付けを禁止してもよい。これにより、同一の携帯通信端末利用者に対して同一の広告情報で当選するまで過度に抽選を繰り返すことを防ぐことができる。
【００１９】
当落表示部は、抽選受付部により受け付けられた一の広告情報に関する抽選の一の広告情報に対応付けて受信情報格納部に格納されている当落情報により示された抽選の当選または落選を表示した後に、抽選受付部により一の広告情報に関する抽選が受け付けられた場合には、当落情報にかえて、一の広告情報に関する情報を表示してもよい。これにより、同一の携帯通信端末利用者に対して同一の広告情報で当選するまで過度に抽選を繰り返すことを防ぐことができる。
【００２０】
当落表示部は、抽選受付部により受け付けられた一の広告情報に関する抽選の一の広告情報に対応付けて受信情報格納部に格納されている当落情報により示された抽選の当選または落選を表示した後に、抽選受付部により一の広告情報に関する抽選が受け付けられた場合には、受信情報格納部に格納されている当落情報にかかわらず一の広告情報における抽選の落選を表示してもよい。これにより、同一の携帯通信端末使用者に対して同一の広告情報で二回以上すること当選を防ぎ、より多くの利用者に対して抽選を促すことができる。
【００２１】
当落表示部は、広告情報における抽選の当選を表示する場合に、さらに登録要求を利用者から受け付けるボタンを表示してもよい。これにより、ユーザに対して登録要求の送信を促すことができる。
【００２２】
登録要求部は、一の送信要求に基づいてサーバから送信された一の当落情報により示された抽選の当選が当落表示部により表示された後に送信要求部が他の送信要求をサーバへ送信する場合に、一の抽選に当選した旨の登録要求を送信してもよい。これにより、継続的な送信要求の送信をユーザに動機づけさせることができる。
【００２３】
携帯通信端末は、携帯通信端末に、送信要求部、受信情報格納部、広告表示部、抽選受付部および当落表示部を実現させるためのプログラムを格納するプログラム格納部をさらに有してもよい。これにより、第１の実施形態と同一の効果を得ることができる。
【００２４】
携帯通信端末の送信要求部は、携帯通信端末を識別する端末識別情報を含む送信要求をサーバに送信し、サーバは、広告情報を識別する広告識別情報に対応付けて広告情報を格納する広告情報格納部と、携帯通信端末から送信要求を受信し、所定の条件に基づいて広告情報格納部から広告識別情報に対応付けて広告情報を取得する広告情報取得部と、広告情報取得部が広告情報を取得した場合に、所定の条件に基づいて当選および落選のいずれか一方を示す当落情報を生成する当落生成部と、当落生成部により生成された当落情報を、広告情報取得部により受信された送信要求に含まれる端末識別情報および広告情報取得部により取得された広告識別情報に対応付けて格納する当落情報格納部と、広告情報取得部により取得された広告情報および広告識別情報を含む表示情報を生成し、当落生成部により生成された当落情報を広告識別情報に対応付けて表示情報とともに携帯通信端末に送信する表示情報送信部とを有してもよい。これにより、第１の実施形態と同一の効果を得ることができる。
【００２５】
上記課題を解決するために、本発明の第２の形態においては、サーバであって、携帯通信端末から表示情報の送信要求を受信した場合に、表示情報に含める広告情報に対応付けて、広告情報に関する抽選における当選および落選のいずれか一方を示す当落情報を、表示情報とともに送信する。これにより、第１の実施形態と同一の効果を得ることができる。
【００２６】
上記課題を解決するために、本発明の第３の形態においては、携帯通信端末であって、表示情報の送信要求をサーバへ送信する送信要求部と、送信要求に基づいてサーバから送信された表示情報、および、表示情報に含める広告情報に関する抽選における当選および落選のいずれか一方を示す当落情報を受信して、格納する受信情報格納部と、受信情報格納部に格納されている表示情報を表示する広告表示部と、広告表示部により表示されている表示情報に含まれる広告情報に関する抽選を利用者から受け付ける抽選受付部と、抽選受付部により抽選が受け付けられた場合に、抽選受付部により受け付けられた抽選の広告情報に対応付けて受信情報格納部に格納されている当落情報により示された、広告情報における抽選の当選または落選のいずれか一方を表示する当落表示部とを備える。これにより、第１の実施形態と同一の効果を得ることができる。
【００２７】
上記課題を解決するために、本発明の第４の形態においては、サーバを制御するプログラムであって、サーバに、携帯通信端末から表示情報の送信要求を受信する受信手順、受信手順が送信要求を受信した場合に、表示情報に含める広告情報に対応付けて、広告情報に関する抽選における当選および落選のいずれか一方を示す当落情報を生成する生成手順、および、生成手順により生成された当落情報を表示情報とともに送信する送信手順を実行させる。これにより、第１の実施形態と同一の効果を得ることができる。
【００２８】
上記課題を解決するために、本発明の第５の形態においては、携帯通信端末を制御するプログラムであって、携帯通信端末に、表示情報の送信要求をサーバへ送信する送信要求手順、送信要求に基づいてサーバから送信された表示情報、および、表示情報に含める広告情報に関する抽選における当選および落選のいずれか一方を示す当落情報を受信して、格納する受信情報格納手順、受信情報格納手順により格納されている表示情報を表示する広告表示手順、広告表示手順により表示されている表示情報に含まれる広告情報に関する抽選を利用者から受け付ける抽選受付手順、および、抽選受付手順により抽選が受け付けられた場合に、抽選受付手順により受け付けられた抽選の広告情報に対応付けて受信情報格納手順に格納されている当落情報により示された、広告情報における抽選の当選または落選のいずれか一方を表示する当落表示手順を実行させる。これにより、第１の実施形態と同一の効果を得ることができる。
【００２９】
なお、上記の発明の概要は、本発明の必要な特徴の全てを列挙したものではなく、これらの特徴群のサブコンビネーションもまた、発明となりうる。
【発明を実施するための最良の形態】
【００３０】
以下、発明の実施の形態を通じて本発明を説明するが、以下の実施形態は特許請求の範囲にかかる発明を限定するものではなく、また実施形態の中で説明されている特徴の組み合わせの全てが発明の解決手段に必須であるとは限らない。
【実施例１】
【００３１】
図１は、抽選制御システム１０の一例を示す概略図である。抽選制御システム１０は、サーバ１００、携帯通信端末２００を備える。サーバ１００および携帯通信端末２００はネットワーク２０を介して互いに通信する。携帯通信端末２００は、入力手段の一例としての操作ボタン２０２と表示手段の一例としてのディスプレイ２０４を備える。
【００３２】
図２は、サーバ１００のブロック図である。サーバ１００は、広告情報格納部１１０、広告情報取得部１２０、当落生成部１３０、当落情報格納部１４０、表示情報格納部１５０、表示情報送信部１６０、登録可否判断部１７０および非図示のプログラム格納部を備える。また、記憶媒体３０は、広告情報格納部１１０、広告情報取得部１２０、当落生成部１３０、当落情報格納部１４０、表示情報格納部１５０、表示情報送信部１６０および登録可否判断部１７０の動作を行わせるプログラムを格納する。サーバ１００のプログラム格納部は、記憶媒体３０に格納された上記プログラムをインストールして格納してもよい。
【００３３】
図４は、広告情報格納部１１０に格納された情報の一例である。広告情報格納部１１０は、広告情報を識別する広告ＩＤに対応付けて広告情報を格納する。広告情報格納部１１０は、図４に示す例において、広告ＩＤ「Ａ００１」に対応付けて文言「商品Ａ／抽選」と記載されたバナーである広告情報を格納する。
【００３４】
図２のサーバ１００の広告情報取得部１２０は、携帯通信端末２００の送信要求部２１０から送信要求を受信し、所定の条件に基づいて広告情報格納部１１０から広告ＩＤに対応付けて広告情報を取得する。例えば所定の条件として、広告情報取得部１２０は、送信要求を受信した時刻に応じて広告情報を選択し広告ＩＤに対応付けて広告情報を取得する。他の例として、広告情報取得部１２０は、送信要求の受信毎に順番に広告情報を選択し広告ＩＤに対応付けて広告情報を取得してもよい。さらに他の例として、広告情報取得部１２０は、端末ＩＤに応じて広告情報を選択し広告ＩＤに対応付けて広告情報を取得してもよい。
【００３５】
当落生成部１３０は、広告情報取得部１２０が広告情報を取得した場合に、所定の条件に基づいて当選および落選のいずれか一方を示す当落情報を生成する。広告情報取得部１２０により生成される当落情報は、当落情報を識別する当落情報ＩＤ、当落情報の有効期限を示す有効期限情報、当選および落選のいずれか一方を示す当落フラグ、当選した旨を登録したか否かを示す登録済フラグ、および、携帯通信端末２００で実行されるゲームを識別するゲームＩＤを含む。上記所定の条件として例えば、当落生成部１３０は、広告ＩＤに対応付けて当落情報格納部１４０に格納されている当落フラグを参照して、当選および落選の割合が予め定められた範囲となるように乱数を用いて当落フラグの値を決定する。
【００３６】
図５は、当落情報格納部１４０に格納された情報の一例である。当落情報格納部１４０は、当落生成部１３０により生成された当落情報を、広告情報取得部１２０により受信された送信要求に含まれる端末ＩＤおよび広告情報取得部１２０により取得された広告ＩＤに対応付けて格納する。例えば当落情報格納部１４０は、図５に示す例において、広告ＩＤ「Ａ００１」および端末ＩＤ「Ｕ０２１０」に対応付けて、当落情報ＩＤ「Ｓ００００１」、有効期限「２００６年５月１５日」、当落フラグ「１（当選）」、表示済フラグ「１（表示済）」、登録済フラグ「１（登録済）」およびゲームＩＤ「Ｇ０１（スロット）」を格納し、広告ＩＤ「Ａ００１」および端末ＩＤ「Ｕ０２２０」に対応付けて、当落情報ＩＤ「Ｓ００００２」、有効期限「２００６年５月２０日」、当落フラグ「０（落選）」、表示済フラグ「０（未表示）」、登録済フラグ「０（未登録）」およびゲームＩＤ「Ｇ０１（スロット）」を格納し、広告ＩＤ「Ａ００１」および端末ＩＤ「Ｕ０２００」に対応付けて、当落情報ＩＤ「Ｓ００００３」、有効期限「２００６年５月２４日」、当落フラグ「１（当選）」、表示済フラグ「０（未表示）」、登録済フラグ「０（未登録）」およびゲームＩＤ「Ｇ０１（スロット）」を格納している。当落情報格納部１４０は、表示済フラグおよび登録済フラグの初期値としてそれぞれ「０」を格納される。
【００３７】
図６は、表示情報格納部１５０に格納された情報の一例である。表示情報格納部１５０は、コンテンツを識別するコンテンツＩＤに対応付けてコンテンツを格納する。表示情報の一部となる動画、音声、テキストなどの情報をコンテンツという。表示情報格納部１５０は、図６に示す例において、コンテンツＩＤ「Ｃ００１」に対応付けてコンテンツ「番組表」を格納している。
【００３８】
図２のサーバ１００の表示情報送信部１６０は、広告情報取得部１２０により取得された広告ＩＤ、広告情報、表示情報格納部１５０に格納されたコンテンツを取得して、広告情報および広告ＩＤを含む表示情報を生成する。さらに、表示情報送信部１６０は、当落生成部１３０により生成された当落情報を広告ＩＤに対応付けて表示情報とともに携帯通信端末２００の受信情報格納部２２０に送信する。
【００３９】
登録可否判断部１７０は、有効期限が経過する前に携帯通信端末２００の登録要求部２６０から登録要求を受信した場合に、抽選に当選した旨を受信情報格納部２２０に登録する。
【００４０】
サーバ１００のプログラム格納部は、サーバ１００に、広告情報格納部１１０、広告情報取得部１２０、当落生成部１３０、当落情報格納部１４０、表示情報格納部１５０、表示情報送信部１６０および登録可否判断部１７０を実現させるためのプログラムを格納する。
【００４１】
図３は、携帯通信端末２００のブロック図である。携帯通信端末２００は、送信要求部２１０、受信情報格納部２２０、広告表示部２３０、抽選受付部２４０、当落表示部２５０、登録要求部２６０および非図示のプログラム格納部を備える。また、記憶媒体３２は、送信要求部２１０、受信情報格納部２２０、広告表示部２３０、抽選受付部２４０、当落表示部２５０および登録要求部２６０の動作を行わせるプログラムを格納する。携帯通信端末２００のプログラム格納部は、記憶媒体３２に格納された上記プログラムを例えば記憶媒体を読み取る装置を介してインストールして格納してもよい。さらに、他の方法として、携帯通信端末２００のプログラム格納部は、そのようなプログラムを、通信回線を介して取得することにより格納してもよい。
【００４２】
送信要求部２１０は、表示情報の送信要求をサーバ１００の広告情報取得部１２０へ送信する。送信要求部２１０により送信される送信要求は、携帯通信端末２００を識別する端末ＩＤ、および、後述するコンテンツＩＤを含む。
【００４３】
図７は、受信情報格納部２２０に格納された情報の一例である。受信情報格納部２２０は、送信要求に基づいてサーバ１００から送信された表示情報および当落情報を受信して格納する。例えば受信情報格納部２２０は、図７（ａ）に示す例において、コンテンツ「番組表」と、広告ＩＤ「Ａ００１」と、広告ＩＤ「Ａ００２」とを格納している。また受信情報格納部２２０は、図７（ｂ）に示す例において、広告ＩＤ「Ａ００１」に対応付けて文言「商品Ａ／抽選」と記載されたバナーである広告情報、当落情報ＩＤ「Ｓ００００３」、有効期限「２００６年５月２４日」、当落フラグ「１（当選）」、表示済フラグ「０（未表示）」、登録済フラグ「０（未登録）」およびゲームＩＤ「Ｇ０１（スロット）」を格納し、広告ＩＤ「Ａ００２」に対応付けて文言「サービスＢ／抽選」と記載されたバナーである広告情報、当落情報ＩＤ「Ｓ００５００」、有効期限「２００６年５月２４日」、当落フラグ「０（落選）」、表示済フラグ「０（未表示）」、登録済フラグ「０（未登録）」およびゲームＩＤ「Ｇ０１（スロット）」を格納している。
【００４４】
広告表示部２３０は、受信情報格納部２２０に格納されている表示情報を表示する。さらに、携帯通信端末２００の抽選受付部２４０は、広告表示部２３０により表示されている表示情報に含まれる広告情報に関する抽選を利用者から受け付ける。
【００４５】
当落表示部２５０は、抽選受付部２４０により抽選が受け付けられた場合に、抽選受付部２４０により受け付けられた抽選の広告情報に対応付けて受信情報格納部２２０に格納されている当落情報により示された広告情報における抽選の当選または落選のいずれか一方を表示する。
【００４６】
登録要求部２６０は、当落表示部２５０が広告情報における抽選の当選を表示した場合に、抽選に当選した旨の登録を要求する登録要求を利用者から受け付けてサーバ１００の登録可否判断部１７０に送信する。
【００４７】
携帯通信端末２００のプログラム格納部は、携帯通信端末２００に、送信要求部２１０、受信情報格納部２２０、広告表示部２３０、抽選受付部２４０、当落表示部２５０および登録要求部２６０を実現させるためのプログラムを格納する。
【００４８】
図８は、抽選制御システム１０の動作の一例を示すフローチャートである。図９から図１２は、携帯通信端末２００のディスプレイ２０４への表示の一例である。なお、本フローチャートの携帯通信端末２００の動作、右側はサーバ１００の動作をそれぞれ示す。
【００４９】
本フローチャートは、端末ＩＤ「Ｕ０２００」により識別される携帯通信端末２００の利用者が操作ボタン２０２を操作することにより、携帯通信端末２００のプログラム格納部に格納されたアプリケーションが起動することにより開始する。なお、本フローチャートの開始時点において、携帯通信端末２００はサーバ１００と通信が可能であるものとする。また、本フローチャートに開始時点において、サーバ１００の広告情報格納部１１０、広告情報取得部１２０、当落生成部１３０、当落情報格納部１４０、表示情報格納部１５０、表示情報送信部１６０および登録可否判断部１７０の動作を行わせるプログラムは起動しているものとする。そして広告情報取得部１２０は図４に示す情報を格納し、表示情報格納部１５０は図６に示す情報を格納しているものとする。
【００５０】
携帯通信端末２００の送信要求部２１０は、表示情報の送信要求をサーバ１００の広告情報取得部１２０へ送信する（Ｓ１００）。送信要求部２１０により送信される送信要求は、携帯通信端末２００を識別する端末ＩＤ「Ｕ０２００」、および、コンテンツＩＤ「Ｃ００１」を含む。
【００５１】
サーバ１００の広告情報取得部１２０は、携帯通信端末２００の送信要求部２１０から送信要求を受信し、所定の条件に基づいて広告情報格納部１１０から広告ＩＤ「Ａ００１」および広告ＩＤ「Ａ００２」に対応付けてそれぞれの広告情報を取得する（Ｓ２００）。例えば、所定の条件として、広告情報取得部１２０は、送信要求の受信毎に順番に広告情報を選択し広告ＩＤに対応付けて広告情報を取得する。そして広告情報取得部１２０は、端末ＩＤ「Ｕ０２００」、コンテンツＩＤ「Ｃ００１」、広告ＩＤ「Ａ００１」により識別される広告情報、広告ＩＤ「Ａ００２」により識別される広告情報を当落生成部１３０に受け渡す。
【００５２】
サーバ１００の当落生成部１３０は、所定の条件に基づいて当選および落選のいずれか一方を示す当落情報を生成する（Ｓ２１０）。具体的には、まず、当落生成部１３０は、広告ＩＤ「Ａ００１」および端末ＩＤ「Ｕ０２００」に対応付けて、当落情報に含める当落情報ＩＤ「Ｓ０００３」を採番する。次に、当落生成部１３０は、例えば、２０日後である有効期限「２００６年５月２４日」を決定する。さらに、当落生成部１３０は、広告ＩＤ「Ａ００１」および端末ＩＤ「Ｕ０２００」に対応付けて、当落情報に含める当落フラグの値「１（当選）」を決定する。上記所定の条件として、例えば、当落生成部１３０は、広告ＩＤ「Ａ００１」に対応付けて当落情報格納部１４０に格納されている当落フラグを参照して、当選および落選の割合が予め定められた範囲となるように乱数を用いて当落フラグの値を決定する。
【００５３】
また、当落生成部１３０は、広告ＩＤ「Ａ００１」および端末ＩＤ「Ｕ０２００」に対応付けて、当落情報に含めるゲームＩＤ「Ｇ０１」を決定する。具体的には例えば、当落生成部１３０は、端末ＩＤに応じてゲームＩＤを選択し決定する。同様に、当落生成部１３０は、広告ＩＤ「Ａ００２」および端末ＩＤ「Ｕ０２００」に対応付けて当落情報に含める当落情報ＩＤ等を決定する。そして当落生成部１３０は、端末ＩＤ「Ｕ０２００」、広告ＩＤ「Ａ００１」により識別される広告情報、広告ＩＤ「Ａ００２」により識別される広告情報、生成した当落情報を当落生成部１３０に受け渡す。また当落生成部１３０は、端末ＩＤ「Ｕ０２００」、コンテンツＩＤ「Ｃ００１」、広告ＩＤ「Ａ００１」により識別される広告情報、広告ＩＤ「Ａ００２」により識別される広告情報、生成した当落情報を表示情報送信部１６０に受け渡す。
【００５４】
サーバ１００の当落情報格納部１４０は、図５に示すように、広告ＩＤ「Ａ００１」および端末ＩＤ「Ｕ０２００」に対応付けて、生成された当落情報を格納する（Ｓ２２０）。同様に、広告ＩＤ「Ａ００２」および端末ＩＤ「Ｕ０２００」に対応付けて、生成された当落情報を格納する。
【００５５】
サーバ１００の表示情報送信部１６０は、コンテンツＩＤ「Ｃ００１」により識別されるコンテンツ「番組表」を表示情報格納部１５０から取得する。表示情報送信部１６０は、広告ＩＤ「Ａ００１」、広告ＩＤ「Ａ００１」により識別される広告情報、広告ＩＤ「Ａ００２」、広告ＩＤ「Ａ００２」により識別される広告情報、および、取得したコンテンツ「番組表」に基づいて表示情報を生成する。表示情報送信部１６０は、広告ＩＤ「Ａ００１」に対応付けて当落生成部１３０により生成された当落情報（当落情報ＩＤ「Ｓ００００３」）を、広告ＩＤ「Ａ００２」に対応付けて当落情報（当落情報ＩＤ「Ｓ００５００」）を、生成した表示情報とともに携帯通信端末２００の受信情報格納部２２０に送信する（Ｓ２３０）。
【００５６】
携帯通信端末２００の受信情報格納部２２０は、サーバ１００の表示情報送信部１６０から、表示情報とともに当落情報（当落情報ＩＤ「Ｓ００００３」、当落情報ＩＤ「Ｓ００５００」）を受信する。そして受信情報格納部２２０は、図７（ａ）（ｂ）に示すように、表示情報および当落情報を格納する（Ｓ１１０）。
【００５７】
携帯通信端末２００の広告表示部２３０は、受信情報格納部２２０により格納される図７（ａ）に示す情報および図７（ｂ）に示す情報を参照して図９に示すように、コンテンツ「番組表」と、広告情報である文言「商品Ａ／抽選」と記載されたバナー、および、文言「商品Ａ／抽選」と記載されたバナーを表示情報としてディスプレイ２０４に表示する（Ｓ１２０）。なお、広告表示部２３０および抽選受付部２４０は、文言「商品Ａ／抽選」と記載されたバナーに対応付けて広告ＩＤ「Ａ００１」を、文言「サービスＢ／抽選」と記載されたバナーに対応付けて広告ＩＤ「Ａ００２」を記憶する。
【００５８】
携帯通信端末２００の抽選受付部２４０は、有効期限内に表示情報に含まれる広告情報に関する抽選を利用者から受け付けたか否かを判断する（Ｓ１３０）。抽選受付部２４０は、広告情報である文言「商品Ａ／抽選」と記載されたバナーが押下（クリック）されたことを検知して、当該バナーに対応付けられた広告ＩＤ「Ａ００１」を取得する。抽選受付部２４０は、受信情報格納部２２０から広告ＩＤ「Ａ００１」に対応付けられた有効期限「２００６年５月２４日」を取得する。そして抽選受付部２４０は、取得した有効期限「２００６年５月２４日」が現在日時よりも前であるときは、有効期限内に抽選を受け付けたと判断する。文言「サービスＢ／抽選」と記載されたバナーが押下された場合も同様である。
【００５９】
ステップＳ１３０において、有効期限内に表示情報に含まれる広告情報に関する抽選を利用者から受け付けたと判断した場合に（Ｓ１３０：Ｙｅｓ）、抽選受付部２４０は、押下されたバナーに対応付けられた広告ＩＤを当落表示部２５０に受け渡す。広告ＩＤを受け付けた当落表示部２５０は、受信情報格納部２２０から当該広告ＩＤに対応付けられた当落フラグおよびゲームＩＤを取得する。そして当落表示部２５０は、取得したゲームＩＤにより識別されるゲームを実行する（Ｓ１４０）。例えば、当落表示部２５０は、広告ＩＤ「Ａ００１」を受け付けた場合には、当落フラグ「１（当選）」およびゲームＩＤ「Ｇ０１（スロット）」を取得して、取得したゲームＩＤ「Ｇ０１」で識別されるゲーム「スロット」を実行する。
【００６０】
携帯通信端末２００の当落表示部２５０は、受け取った広告ＩＤに基づいて当選または落選のいずれか一方を表示する（Ｓ１５０）。例えば、当落表示部２５０は、抽選受付部２４０から広告ＩＤ「Ａ００１」を受け取った場合に、図１０（ａ）に示すように、当落フラグ「１（当選）」により示された当選（停止図柄がスリー７）を表示する。また例えば、当落表示部２５０は、抽選受付部２４０から広告ＩＤ「Ａ００２」を受け取った場合に、図１０（ｂ）に示すように、当落フラグ「０（落選）」により示された落選を表示する。また、当落表示部２５０は、当選または落選を表示したときは、当該広告ＩＤに対応付けて表示済フラグ「０（未表示）」を表示済フラグ「１（表示済）」に更新する。
【００６１】
さらに当落表示部２５０は、当選を表示したときは、図１０（ａ）に示すように、登録ボタン「登録」を表示するとともに、有効期限までにサーバ１００に抽選に当選した旨の登録をすべき旨を表示する。また当落表示部２５０は、ボタン「登録」に対応付けて広告ＩＤを登録要求部２６０に受け渡す。なお、ボタン「登録」は、登録要求を利用者から受け付けるボタンの一例である。
【００６２】
携帯通信端末２００の登録要求部２６０は、当落表示部２５０により当選が表示されたか否かを判断する（Ｓ１６０）。登録要求部２６０は、受信情報格納部２２０に当該広告ＩＤに対応付けて当落フラグ「１（当選）」かつ表示済フラグ「１（表示済）」が格納されている場合に当選を表示したと判断する。
【００６３】
ステップＳ１６０において、当落表示部２５０により当選が表示されたと判断した場合に（Ｓ１６０：Ｙｅｓ）、登録要求部２６０は、有効期限内に登録要求を受け付けたか否かを判断する（Ｓ１７０）。具体的には登録要求部２６０は、図１０（ａ）に示すボタン「登録」が押下（クリック）されたことを検知した場合に、当該登録ボタンに対応付けられた広告ＩＤ「Ａ００１」を取得する。登録要求部２６０は、受信情報格納部２２０から当該広告ＩＤ「Ａ００１」に対応付けられた有効期限「２００６年５月２４日」を取得する。そして登録要求部２６０は、取得した有効期限「２００６年５月２４日」が携帯通信端末２０に内蔵された時計により示される現在日時よりも前であるときは、有効期限内に登録要求を受け付けたと判断する。
【００６４】
ステップＳ１７０において、有効期限内に当選の登録要求を受け付けたと判断した場合に（Ｓ１７０：Ｙｅｓ）、登録要求部２６０は、登録可否判断部１７０に送信する登録要求を生成する。例えば登録要求部２６０は、登録要求を生成することにかえて、端末ＩＤ「Ｕ０２００」および取得した広告ＩＤ「Ａ００１」に対応付けて受信情報格納部２２０に格納された当落情報（当落情報ＩＤ「Ｓ００００３」）を登録要求として送信する（Ｓ１８０）。
【００６５】
サーバ１００の登録可否判断部１７０は、当選の登録が可能か否かを判断する（Ｓ２４０）。具体的には、登録可否判断部１７０は、登録要求を受信した場合に、当該登録要求に含まれる端末ＩＤおよび広告ＩＤに対応付けて当落情報格納部１４０に格納されている登録済フラグが「０（未登録）」であるときに、当選の登録は可能であると判断する。例えば、登録可否判断部１７０は、端末ＩＤ「Ｕ０２００」および広告ＩＤ「Ａ００１」含む登録要求を受信した場合に、図９に示すように、端末ＩＤ「Ｕ０２００」および広告ＩＤ「Ａ００１」に対応付けて登録済フラグ「０（未登録）」が当落情報格納部１４０に格納されているので、当選の登録は可能であると判断する。
【００６６】
ステップＳ２４０において、登録可否判断部１７０は、当選の登録が可能であると判断した場合には（Ｓ２４０：Ｙｅｓ）、当該登録要求に含まれる端末ＩＤおよび広告ＩＤに対応付けて当落情報格納部１４０に格納されている登録済フラグ「０（未登録）」を登録済フラグ「１（登録済）」に更新することにより当選を登録する（Ｓ２５０）。また、登録可否判断部１７０は、端末ＩＤおよび広告ＩＤに対応付けて当落情報格納部１４０に格納されている表示済フラグ「０（未表示）」を表示済フラグ「１（表示済）」に更新する。そして、登録可否判断部１７０は、当選を登録した旨を示す登録完了通知を携帯通信端末２００の広告表示部２３０に送信（応答）する（Ｓ２６０）。
【００６７】
携帯通信端末２００の広告表示部２３０は、受信した登録完了通知を当落表示部２５０に受け渡す。当落表示部２５０は、例えば図１１（ａ）に示すように、当選の登録が完了した旨を表示する（Ｓ１９０）。そして本フローチャートは終了する。
【００６８】
一方、ステップＳ１３０において、抽選受付部２４０は、有効期限内に表示情報に含まれる広告情報に関する抽選を利用者から受け付けていないと判断した場合に（Ｓ１３０：Ｎｏ）、すなわち有効期限を経過してから表示情報に含まれる広告情報に関する抽選を利用者から受け付けたと判断した場合、または、抽選を利用者から受け付けていないと判断した場合に、ステップＳ１４０以降を飛ばして本フローチャートは終了する。なお、抽選受付部２４０は、有効期限を経過してから表示情報に含まれる広告情報に関する抽選を利用者から受け付けたと判断した場合に、受信情報格納部２２０に格納されている当落情報にかかわらず抽選の落選を表示してもよい。また、抽選受付部２４０は、有効期限を経過した場合に、利用者からの広告情報に関する抽選の受け付けを禁止してもよい。
【００６９】
一方、ステップＳ１６０において、登録要求部２６０は、当落表示部２５０により当選が表示されていないと判断した場合に（Ｓ１６０：Ｎｏ）、すなわち当落表示部２５０により落選が表示されたと判断した場合に、ステップＳ１７０以降を飛ばして本フローチャートは終了する。具体的には、図１０（ａ）（ｂ）に示すように、当落表示部２５０は当選を表示する場合に限りボタン「登録」を表示してもよい。
【００７０】
一方、ステップＳ１７０において、登録要求部２６０は、有効期限内に当選の登録要求を受け付けていないと判断した場合に（Ｓ１７０：Ｙｅｓ）、すなわち有効期限を経過してから当選の登録要求を受け付けたと判断した場合、または、当選の登録要求を受け付けていないと判断した場合に、ステップＳ１８０以降を飛ばして本フローチャートは終了する。なお、当落表示部２５０は、登録要求部２６０が有効期限を経過してから当選の登録要求を受け付けた場合には、図１１（ｂ）に示すように、登録期間を経過した旨を表示することが好ましい。
【００７１】
ステップＳ２４０において、当選の登録が可能でないと判断した場合に（Ｓ２４０：Ｎｏ）、登録可否判断部１７０は、当選を登録できなかった旨を示す登録不可通知を携帯通信端末２００の広告表示部２３０に送信（応答）することが好ましい。この場合、携帯通信端末２００の広告表示部２３０は、受信した登録不可通知を当落表示部２５０に受け渡す。当落表示部２５０は、例えば図１２（ａ）に示すように、当選の登録が完了した旨を表示する。そして本フローチャートは終了する。
【００７２】
なお、ステップＳ１２０において、携帯通信端末２００の広告表示部２３０は、有効期限を経過した場合には、表示情報から表示情報に含まれる広告情報を除いて表示してもよい。
【００７３】
また、ステップＳ２１０において当落生成部１３０は、当選および落選の割合が予め定められた範囲となるように乱数を用いて当落フラグの値を決定することにかえて、決定済みの当落フラグ「１（当選）」の数が予め定められた数未満であるときは、乱数を用いて当落フラグを決定し、決定済みの当落フラグ「１（当選）」の数が予め定められた数となったときは、その後に決定する当落フラグについて「０（落選）」としてもよい。また、当落生成部１３０は、当落フラグに加えて、登録済フラグを参照して当落フラグの値を決定してもよい。例えば、当落生成部１３０は、有効期限日において、当落フラグ「１（当選）」であって登録済フラグ「０（未登録）」の当落情報があるときは、当該当落情報の数を上記予め定められた数に上乗せしてもよい。なお、当落生成部１３０は、広告情報取得部１２０から端末ＩＤおよび広告ＩＤの同一の組み合わせを受け取った場合には、当落情報に含める当落フラグの値「０（落選）」を決定することが好ましい。
【００７４】
なお、広告表示部２３０は、抽選受付部２４０より受け付けられた広告情報に関する抽選の当選または落選が当落表示部２５０により表示された場合には、当該広告情報に関する抽選が利用者から受け付け済みである旨を表示する。例えば、抽選受付部２４０は、図１０（ａ）（ｂ）に示すボタン「終了」が押下された場合には、その旨を広告表示部２３０に通知する。通知を受けた広告表示部２３０は、図１２（ｂ）に示すように、バナーの近傍に、当該バナーに関する抽選が利用者から受け付け済みである旨を表示する。また、抽選受付部２４０は、上記表示にかえてまたは加えて、利用者から受け付けた抽選の当選または落選が当落表示部２５０により表示された場合には、その後の利用者からの当該抽選の受け付けを禁止する。例えば、広告表示部２３０は、図１２（ｂ）に斜線で示すように、抽選の受け付けが無効である旨を表示する。また、抽選の受け付けが無効である旨が表示されたバナーが押下された場合に、抽選受付部２４０は、当該バナーに対応付けられた広告ＩＤ「Ａ００１」を無視する（無効とする）ことにより抽選の受け付けを禁止する。
【００７５】
また、広告表示部２３０は、抽選受付部２４０より受け付けられた広告情報に関する抽選の当選または落選が当落表示部２５０により表示された場合には、表示情報から表示情報に含まれる広告情報を除いて表示してもよい。
【００７６】
また、抽選受付部２４０は、利用者から受け付けた抽選の当選または落選が当落表示部２５０により表示された場合であってもその後の利用者からの当該抽選を受け付けてもよい。この場合に当落表示部２５０は、当落情報にかえて、当該広告情報に関する情報、例えば詳細情報を表示する。また例えば、当落表示部２５０は、広告情報に関する情報にかえて、当落情報にかかわらず抽選の落選を表示してもよい。例えば。広告表示部２３０は、受信情報格納部２２０から広告ＩＤに対応付けられた表示済フラグを当落フラグに加えて取得する。そして広告表示部２３０は、表示済フラグ「１（表示済）」であるときは、当落フラグの値にかかわらず、広告情報に関する情報または抽選の落選を表示する。なお、広告情報に関する情報は、例えば、サーバ１００から表示情報および当落情報を受信するときに受信してもよい。
【００７７】
なお、携帯通信端末２００の登録要求部２６０は有効期限内に登録要求を受け付けたか否かを判断したが（Ｓ１７０）、サーバ１００の登録可否判断部１７０が有効期限内に登録要求を受け付けたか否かを判断してもよい（Ｓ２４０）。
【００７８】
以上、本実施例によれば、携帯通信端末２００がサーバ１００と接続していないときであっても、電子くじの当落の結果を表示することができる。特に、図８に示すステップＳ１４０およびステップＳ１５０において、携帯通信端末２００がサーバ１００と接続することなく、携帯通信端末２００の当落表示部２５０はゲーム（スロット）を実行して当選または落選のいずれか一方を表示することができる。
【００７９】
なお、本実施例において、当落情報は、広告ＩＤおよび端末ＩＤに対応付けて、当落情報ＩＤ、有効期限、当落フラグ、表示済フラグ、登録済フラグおよびゲームＩＤに加えて、登録要求部２６０による有効期限を経過する前の登録要求の送信が成功しなかった旨を示す登録失敗フラグを含んでもよい。なお、この登録失敗フラグの初期値は例えば「０」に設定される。この場合、図８に示すステップＳ２６０において、携帯通信端末２００の広告表示部２３０は、当選を登録できなかった旨を示す情報を受信した場合、または、所定の期間内に、登録完了通知を受信しなかった場合には、当該登録要求に含まれる当落情報の登録失敗フラグ「０」を登録失敗フラグ「１」に更新する。登録要求部２６０は、受信情報格納部２２０に当該登録要求に含める当落情報の登録失敗フラグが「１」であった場合には、有効期限にかかわらず登録要求を送信してもよい。また、登録要求部２６０は、上記にかえて、受信情報格納部２２０に当該登録要求に含める当落情報の登録失敗フラグが「１」であった場合には、有効期限にかかわらず登録要求および登録失敗フラグ「１」を送信してもよい。そして、サーバ１００の登録可否判断部１７０は、登録要求および登録失敗フラグ「１」を受信した場合に、当該登録要求に含まれる端末ＩＤおよび広告ＩＤに対応付けて当落情報格納部１４０に格納されている登録済フラグが「０（未登録）」であるときは、有効期限にかかわらず、当選の登録が可能であると判断してもよい。
【００８０】
また、本実施例において、当落表示部２５０により表示されるボタン「登録」を押下することにより、登録要求部２６０は、登録可否判断部１７０に送信する登録要求を生成するが、登録要求部２６０は、当落表示部２５０により当選が表示された後にユーザからの入力を介さずに、登録要求を生成してもよい。例えば、登録要求部２６０は、一の送信要求に基づいてサーバ１００から送信された一の当落情報により示された抽選の当選が当落表示部２５０により表示された後に送信要求部２１０が他の送信要求をサーバ１００へ送信する場合に、当該一の抽選に当選した旨の登録要求を送信してもよい。
【００８１】
また、本実施例において、ゲームＩＤで識別されるゲームは、送信要求部２１０、受信情報格納部２２０、広告表示部２３０、抽選受付部２４０、当落表示部２５０および登録要求部２６０の動作を行わせるプログラムの一部として動作してもよいし、他のプログラムとして動作してもよい。また、本実施例において、表示情報に含める広告情報（バナー）は２つであるが、１つであってもよいし、３つ以上であってもよい。
【００８２】
なお、サーバ１００が携帯通信端末２００から受信する送信要求は、サーバ１００がいわゆるＰＵＳＨ型配信により表示情報を携帯通信端末２００に送信する場合に、ＰＵＳＨ型配信をすべき旨の携帯通信端末２００からサーバ１００への配信要求も含まれる。この場合には、例えば、携帯通信端末２００の送信要求部２１０は、表示情報の送信要求（配信要求）をサーバ１００の広告情報取得部１２０へ送信する。広告情報取得部１２０は、送信要求（配信要求）を受信し登録情報として格納する。その後、広告情報取得部１２０は、例えば一定時間毎に、格納した登録情報を参照し所定の条件に基づいて広告情報格納部１１０から広告情報等を取得する。以下、図８に示すフローチャートと同様の動作であってもよい。なお、送信要求（配信要求）は、少なくとも携帯通信端末２００を識別する端末ＩＤを含む。コンテンツＩＤは、格納した登録情報、または、予め定られた順序等所定の条件に応じてサーバ１００側で決定してもよい。
【００８３】
以上、本発明を実施の形態を用いて説明したが、本発明の技術的範囲は上記実施の形態に記載の範囲には限定されない。上記実施の形態に、多様な変更または改良を加えることが可能であることが当業者に明らかである。その様な変更または改良を加えた形態も本発明の技術的範囲に含まれ得ることが、特許請求の範囲の記載から明らかである。
【図面の簡単な説明】
【００８４】
【図１】抽選制御システム１０の一例を示す概略図である。
【図２】サーバ１００のブロック図である。
【図３】携帯通信端末２００のブロック図である。
【図４】広告情報格納部１１０に格納された情報の一例である。
【図５】当落情報格納部１４０に格納された情報の一例である。
【図６】表示情報格納部１５０に格納された情報の一例である。
【図７】受信情報格納部２２０に格納された情報の一例である。
【図８】抽選制御システム１０の動作の一例を示すフローチャートである。
【図９】ディスプレイ２０４への表示の一例である。
【図１０】ディスプレイ２０４への表示の一例である。
【図１１】ディスプレイ２０４への表示の一例である。
【図１２】ディスプレイ２０４への表示の一例である。
【符号の説明】
【００８５】
１０  抽選制御システム
２０  ネットワーク
３０  記憶媒体
３２  記憶媒体
１００  サーバ
１１０  広告情報格納部
１２０  広告情報取得部
１３０  当落生成部
１４０  当落情報格納部
１５０  表示情報格納部
１６０  表示情報送信部
１７０  登録可否判断部
２００  携帯通信端末
２０２  操作ボタン
２０４  ディスプレイ
２１０  送信要求部
２２０  受信情報格納部
２３０  広告表示部
２４０  抽選受付部
２５０  当落表示部
２６０  登録要求部
【図１】
2007287057.tif 000003
【図２】
2007287057.tif 000004
【図３】
2007287057.tif 000005
【図４】
2007287057.tif 000006
【図５】
2007287057.tif 000007
【図６】
2007287057.tif 000008
【図７】
2007287057.tif 000009
【図８】
2007287057.tif 000010
【図９】
2007287057.tif 000011
【図１０】
2007287057.tif 000012
【図１１】
2007287057.tif 000013
【図１２】
2007287057.tif 000014